(57)【特許請求の範囲】
【請求項１】
第１フレーム体と第２フレーム体とがそれらの外周縁部にて接合されてなり、内部に空間が形成されたフレーム体と、
該フレーム体に対して外周縁部が固定され、該フレーム体において前記空間を第１フレーム体側の第１空間と前記第２フレーム体側の第２空間とに分けるように配置された振動板と、
前記第１フレーム体に固定されて前記第１空間内に配置された磁気回路と、
前記第１空間内に配置され、前記磁気回路の磁気ギャップ内に配置されるボイスコイルを備え、前記振動板の内周縁部に結合されたボイスコイルユニットと、
前記振動板の前記内周縁部と前記フレーム体との間に設けられたダンパとを有し、
前記第２フレーム体の所定部位に開口が形成され、
前記開口を覆うように前記第２フレーム体に固定され、外周面所定部位に前記ボイスコイルユニットから前記開口を通して延びるリード線が接合される端子が設けられたカバー部材を有するスピーカ装置。
【請求項２】
前記第１フレーム体には、前記第１空間と外部の空間とを連通させる第１ポートが形成され、
前記第２フレーム体には、前記第２空間と外部の空間とを連通させる第２ポートが形成された請求項１記載のスピーカ装置。
【請求項３】
前記開口は、前記振動板の前記内周縁部と前記ボイスコイルユニットとの結合部分が露出するように、前記第２フレーム体に形成された請求項１または２記載のスピーカ装置。
【請求項４】
前記ダンパの内周縁部は、前記ボイスコイルユニットに固定され、前記ダンパの外周縁部は、前記第２フレーム体の前記開口の周縁部分に固定された請求項３記載のスピーカ装置。
【請求項５】
請求項１乃至４のいずれかに記載のスピーカ装置を組み立てる組立方法であって、
前記第１フレーム体に前記磁気回路を固定し、該磁気回路の前記磁気ギャップに前記ボイスコイルが配置されるように前記ボイスコイルユニットをセットするボイスコイルセッティングステップと、
前記ボイスコイルユニットと前記第１フレーム体の外周縁部との間に前記振動板を固定する振動板固定ステップと、
前記第１フレーム体の前記外周縁部と前記第２フレーム体の前記外周縁部とを接合して、前記フレーム体を形成するフレーム体形成ステップと、
前記振動板の前記内周縁部と前記フレーム体との間にダンパを設けるダンパセッティングステップと、
前記ボイスコイルユニットから前記第２フレーム体の前記開口を通して延びるリード線を前記カバー部材の前記端子に接続するリード線接続ステップと、
前記カバー部材を、前記開口を覆うように前記第２フレームに固定するカバー部材固定ステップとを有するスピーカ装置の組立方法。
【請求項６】
前記ダンパセッティングステップは、前記ダンパの内周縁部を前記ボイスコイルユニットに固定し、前記ダンパの外周縁部を前記第２フレーム体の前記開口の周縁部分に固定するステップを有する請求項５記載のスピーカ装置の組立方法。
【発明の詳細な説明】
【技術分野】
【０００１】
本発明は、内部に空間が形成されたフレーム体内に振動板、磁気回路及びボイスコイルユニットが設けられ、フレーム体の外部に設けられた端子にボイスコイルユニットから延びるリード線が接続された構造のスピーカ装置及びその組立方法に関する。
【背景技術】
【０００２】
従来、特許文献１に開示されるスピーカ（スピーカ装置）が知られている。このスピーカは、フレーム（フレーム体）に対して外周縁部が固定される振動板の一方の面が外方空間に向いており、振動板の他方の面とフレームとの間の空間にダンパ、磁気回路及びボイスコイルユニットが設けられた構造となっている。そして、ボイスコイルユニットから延びるリード線が、ダンパの振動板と逆側の空間、すなわち、ダンパと磁気回路との間の空間を利用してフレームの外側に導き出され、当該フレームの外面に設けられた端子に接続されている。このようなスピーカによれば、ダンパや振動板を取り付ける前に、ボイスコイルユニットから延びるリード線をフレームの外側に導き出して端子に接続し、その後、ダンパや振動板を取付けることができるので、リード線の引き回しの作業性が良く、また、ダンパや振動板の取付け作業時にリード線が邪魔にならなくて、その組立作業性が良い。
【先行技術文献】
【特許文献】
【０００３】
【特許文献１】特開平８−１９０９４号公報
【発明の概要】
【発明が解決しようとする課題】
【０００４】
ところで、前述した従来のスピーカ装置は、振動板の外周縁部を支持するフレーム体が開放した構造となって、振動板の一方の面が外部空間に向くものである。これに対して、閉鎖性の高いフレーム体内に形成される空間に振動板、磁気回路、ボイスコイルユニット等が設けられた構造のスピーカ装置が提案されている。このような構造のスピーカ装置であっても、ボイスコイルユニットから延びるリード線を作業性良くその閉鎖性の高いフレーム体の外部に設けられた端子まで導けることが望まれる。
【０００５】
本発明は、このような事情に鑑みてなされたもので、ボイスコイルユニットから延びるリード線を作業性良く閉鎖性の高いフレーム体の外部に設けられた端子まで導くことのできる構造のスピーカ装置及びその組立方法を提供するものである。
【課題を解決するための手段】
【０００６】
本発明に係るスピーカ装置は、第１フレーム体と第２フレーム体とがそれらの外周縁部にて接合されてなり、内部に空間が形成されたフレーム体と、該フレーム体に対して外周縁部が固定され、該フレーム体において前記空間を第１フレーム体側の第１空間と前記第２フレーム体側の第２空間とに分けるように配置された振動板と、前記第１フレーム体に固定されて前記第１空間内に配置された磁気回路と、前記第１空間内に配置され、前記磁気回路の磁気ギャップ内に配置されるボイスコイルを備え、前記振動板の内周縁部に結合されたボイスコイルユニットと、前記振動板の前記内周縁部と前記フレーム体との間に設けられたダンパとを有し、前記第２フレーム体の所定部位に開口が形成され、前記開口を覆うように前記第２フレーム体に固定され、外周面所定部位に前記ボイスコイルユニットから前記開口を通して延びるリード線が接合される端子が設けられたカバー部材を有する構成となる。
【０００７】
このような構成により、第１フレーム体と第２フレーム体とによって構成されるフレーム体内部の空間が振動板によって第１空間と第２空間とに分けられ、その第１空間に磁気回路及びボイスコイルユニットが配置された構造となって、第２フレーム体に形成された開口を通してボイスコイルユニットから延びるリード線が、当該開口を閉ざすように前記第２フレーム体に固定されるカバー部材の外周面所定部位に設けられた端子に接続されるようになっているので、前記第２フレーム体の前記開口を通した前記リード線を前記端子に接続した後に、前記カバー部材を前記第２フレーム体に固定することができる。
【０００８】
本発明に係るスピーカ装置において、前記第１フレーム体には、前記第１空間と外部の空間とを連通させる第１ポートが形成され、前記第２フレーム体には、前記第２空間と外部の空間とを連通させる第２ポートが形成された構成とすることができる。
【０００９】
このような構成により、第１フレーム体及び第２フレーム体にて構成されたフレーム体内における第１空間及び第２空間での振動板の振動に基づいた空気の振動が第１ポート及び第２ポートを通して外部の空間に音として有効に伝搬し得る。
【００１０】
また、本発明に係るスピーカ装置において、前記開口は、前記振動板の前記内周縁部と前記ボイスコイルユニットとの結合部分が露出するように、前記第２フレーム体に形成された構成とすることができる。
【００１１】
このような構成により、ボイスコイルユニットから延びるリード線を第２フレーム体に形成された開口を容易に通して該開口を閉ざすカバー部材に設けられた端子に接続することができる。
【００１２】
また、本発明に係るスピーカ装置において、前記ダンパの内周縁部は、前記ボイスコイルユニットに固定され、前記ダンパの外周縁部は、前記第２フレーム体の前記開口の周縁部分に固定された構成とすることができる。
【００１３】
このような構成により、ダンパによってボイスコイルユニット及び振動板の内周縁部を弾性支持することができる。そして、ボイスコイルユニット及びダンパによって第２フレーム体の開口が閉ざされた状態になるが、ボイスコイルユニットから延びるリード線を前記開口から引き出すことができる。
【００１４】
本発明に係るスピーカ装置の組立方法は、前述したいずれかのスピーカ装置を組み立てる組立方法であって、前記第１フレーム体に前記磁気回路を固定し、該磁気回路の前記磁気ギャップに前記ボイスコイルが配置されるように前記ボイスコイルユニットをセットするボイスコイルセッティングステップと、前記ボイスコイルユニットと前記第１フレーム体の外周縁部との間に前記振動板を固定する振動板固定ステップと、前記第１フレーム体の前記外周縁部と前記第２フレーム体の前記外周縁部とを接合して、前記フレーム体を形成するフレーム体形成ステップと、前記振動板の前記内周縁部と前記フレーム体との間にダンパを設けるダンパセッティングステップと、前記ボイスコイルユニットから前記第２フレーム体の前記開口を通して延びるリード線を前記カバー部材の前記端子に接続するリード線接続ステップと、前記カバー部材を、前記開口を覆うように前記第２フレームに固定するカバー部材固定ステップとを有する構成となる。
【００１５】
このような構成により、第１フレーム体及び第２フレーム体にて構成されるフレーム体内に振動板、磁気回路、ボイスコイルユニット及びダンパが設けられる構造のスピーカ装置を組み立てるに際して、第２フレーム体に形成された開口を通したリード線をカバー部材の外周面所定部位に設けられた端子に接続した後に、前記開口を覆うように前記カバー部材を前記第２フレーム体に固定するので、第２フレーム体に固定されるカバー部材の外周面所定部位に設けられた端子にフレーム体内のボイスコイルユニットから延びるリード線を容易に接続することができる。
【００１６】
本発明に係るスピーカ装置の組立方法において、前記スピーカ装置は、前記開口が、前記振動板の前記内周縁部と前記ボイスコイルユニットとの結合部分が露出するように、前記第２フレーム体に形成されたスピーカ装置であって、前記ダンパセッティングステップは、前記ダンパの内周縁部を前記ボイスコイルユニットに固定し、前記ダンパの外周縁部を前記第２フレーム体の前記開口の周縁部分に固定するステップを有する構成とすることができる。
【発明の効果】
【００１７】
本発明に係るスピーカ装置によれば、第１フレーム体及び第２フレーム体からなるフレーム体内に振動板、磁気回路、ボイスコイルユニット及びダンパが設けられた構造において、第２フレーム体に形成された開口を通したリード線をカバー部材の外周面所定部位に設けられた端子に接続した後に、前記開口を覆うように前記カバー部材を前記第２フレーム体に固定することができるので、第１フレーム体及び第２フレーム体からなるフレーム体における該第２フレーム体の開口をカバー部材にて覆って閉鎖性を高めたフレーム体であっても、ボイスコイルユニットから延びるリード線を作業性良くフレーム体の外部に設けられた端子まで導くことができる構造となり得る。
【００１８】
また、そのようなスピーカ装置を組み立てる組立方法によれば、前記第２フレーム体に固定される前記カバー部材の外周面所定部位に設けられた前記端子にフレーム体内のボイスコイルユニットから延びるリード線を容易に接続することができるので、前記ボイスコイルユニットから延びるリード線を作業性良く閉鎖性の高いフレーム体の外部に設けられた端子まで導くことができる。
【図面の簡単な説明】
【００１９】
【図１】本発明の実施の一形態に係るスピーカ装置の断面構造を示す断面図である。
【図２】図１に示すスピーカ装置の組立途中の状態（その１）を示す断面図である。
【図３】図１に示すスピーカ装置の組立途中の状態（その２）を示す断面図である。
【図４】図１に示すスピーカ装置の組立途中の状態（その３）を示す断面図である。
【図５】図１に示すスピーカ装置の組立途中の状態（その４）を示す断面図である。
【図６】図１に示すスピーカ装置の組立途中の状態（その５）を示す断面図である。
【発明を実施するための形態】
【００２０】
以下、本発明の実施の形態について図面を用いて説明する。
【００２１】
本発明の実施の一形態に係るスピーカ装置は、図１に示すように構成される。このスピーカ装置は、図２乃至図６に示す順番にて組み立てられる。図１乃至図６を参照して、組立の順番に従って、そのスピーカ装置１０の構造について説明する。
【００２２】
まず、図１とともに図２に示すように、略円盤状の第１フレーム体１１の底部の略中央部に段差が形成されており、その段差に沿うように外ヨーク２１が当該第１フレーム体１１の底部に固定されている。外ヨーク２１と内ヨーク２２とによって磁石２３が挟まれるとともに、相互に対向する内ヨーク２２の外周面と外ヨーク２１の内周面部分との間に隙間（磁気ギャップ）が形成されるように、それら外ヨーク２１、内ヨーク２２及び磁石２３が組み立てられて磁気回路２０が形成されている。ボビン２４ａの先端部にボイスコイル２４ｂが巻かれてなるボイスコイルユニット２４が、ボビン２４ａ内に装着された位置出し治具１００により、磁気回路２０の磁気ギャップ内にボイスコイル２４ｂが位置するように内ヨーク２２との相対的な位置関係が維持されつつ、磁気回路２０に対してセットされる（ボイスコイルセッティングステップ）。ボイスコイルユニット２４のボイスコイル２４ｂが巻かれた側と逆側の端部からは、ボイスコイル２４ｂに続くリード線（錦糸線）２９が延びている。
【００２３】
次に、図１とともに図３に示すように、コーン状の振動板２５が、前述した磁気回路２０（外ヨーク２１、内ヨーク２２、磁石２３）の側と逆側に突出するように配置され、振動板２５の外周縁部がエッジ部２６を介して第１フレーム体１１の外周縁部に接着固定される。また、前述したボイスコイルユニット２４におけるボビン２４ａのボイスコイル２４ｂが巻かれた部分と逆側の端縁部が振動板２５の内周縁部に接着固定される。このようにして、ボイスコイルユニット２４と第１フレーム体１１の外周縁部との間に振動板２５が固定される（振動板固定ステップ）。
【００２４】
次に、図１とともに図４に示すように、第２フレーム体１２の外周縁部が、第１フレーム体１１の外周縁部に、振動板２５に固定されたエッジ部２６がそれら外周縁部によって挟まれるように、接着固定される。これにより、第１フレーム体１１と第２フレーム体とが接合されてなるフレーム体が形成され（フレーム体形成ステップ）、そのフレーム体（第１フレーム体１１、第２フレーム体１２）内に、磁気回路２０、位置出し治具１００により磁気回路２０に対する相対的位置関係が維持されたボイスコイルユニット２４、及び振動板２５が収容された状態となる。
【００２５】
第２フレーム体１２の上面の中央部には開口１２ａが形成されており、接着固定されたボイスコイルユニット２４のボビン２４ａの端縁部と振動板２５の内周縁部とが開口１２ａの略中央に配置される。
【００２６】
更に、図１とともに図５に示すように、前記ボビン２４ａの端縁部と振動板２５の内周縁部との接着固定部分がダンパ２７の内周縁部に接着固定され、そのダンパ２７の外周縁部が第２フレーム体１２の開口１２ａの周縁部に接着固定される（ダンパセッティングステップ）。これにより、ボイスコイルユニット２４及び振動板２５の内周縁部がダンパ２７によって、ボイスコイルユニット２４のボビン２４ａの長手方向に振動可能となるように、弾性支持された構造となる。そして、ボビン２４ａから位置出し治具１００が引き抜かれて、ボビン２４ａの開放端部にキャップ２８により閉鎖される。
【００２７】
図１とともに図６に示すように、カップ状のカバー部材１３の外周面所定部位には端子１６が設けられている。そして、ボイスコイルユニット２４からのリード線２９が、カバー部材１３の端子１６の近傍に形成された孔（図示略）を通して、当該カバー部材１３の内側から外側に引き出され、端子１６に半田付けにより電気的に接続される（リード線接続ステップ）。その後、図６に示すように、カバー部材１３の外周縁部を第１フレーム体１２の開口１２ａの周辺部にあてがいつつ、当該カバー部材１３を、開口１２ａを覆うように第２フレーム体１２に接合させて接着固定する（カバー部材固定ステップ）。これにより、図１に示すような構造のスピーカ装置１０が完成する。
【００２８】
このような構造のスピーカ装置１０では、第１フレーム体１１と第２フレーム体１２とからなるフレーム体内の空間が、振動板２５によって第１フレーム体１１側の第１空間Ｅ１と第２フレーム体１２側の第２空間Ｅ２とに分けられている（図１参照）。そして、第１フレーム体１１には、その底部の磁気回路２０に隣接した部位から延びるように、第１ポート１４が形成されている。この第１ポート１４は、振動板２５と第１フレーム体１１との間に形成される第１空間Ｅ１と外部の空間とを連通させている。また、第２フレーム体１２には、その上面の前述した第１ポート１４と対向する部位から延びるように第２ポート１５が形成されている。この第２ポート１５は、振動板２５と第２フレーム体１２との間に形成される第２空間Ｅ２と外部の空間とを連通させている。
【００２９】
このようなスピーカ装置では、端子１６に音信号が印加されることにより、該音信号に応じた電流がリード線２９を通してボイスコイル２４ｂに流れる。このボイスコイル２４ｂに流れる電流と磁気回路２０の磁気ギャップに形成される磁界との相互作用（電磁作用）により、ボイスコイルユニット２４が、ボビン２４ｂの長手方向に振動し、その振動に基づいた振動板２５の振動により音が発せられる。その際、その音は、第２空間Ｅ２から第２ポートを通して外部の空間に伝搬する。一方、第１空間Ｅ１が背圧空間として機能して、振動板２５の振動により振動する第１空間Ｅ１の空気が第１ポート１４を通して出入りし、振動板２５の振動が第１空間Ｅ１の空気によって邪魔されることなく、その振動に基づいた音を、第２ポート１５を通して外部の空間に向けて出力させることができる。
【００３０】
上述したようなスピーカ装置１０の構造（図１参照）、及びその構造に基づいたその組立方法（図２乃至図６参照）によれば、第１フレーム体１１及び第２フレーム体１２からなるフレーム体内に振動板２５、磁気回路２０、ボイスコイルユニット２４及びダンパ２７が設けられた構造のスピーカ装置を組み立てる際に、第２フレーム体１２に形成された開口１２ａを通したリード線２９をカバー部材１３の外周面所定部位に設けられた端子１６に接続した後に、前記開口１２ａを覆うように前記カバー部材１３を前記第２フレーム体１２に固定することができるので、第１フレーム体１１及び第２フレーム体１２からなるフレーム体における該第２フレーム体１２の開口１２ａをカバー部材１３にて覆って閉鎖性を高めたフレーム体であっても、ボイスコイルユニット２４から延びるリード線２９を作業性良くフレーム体の外部に設けられた端子１６まで導くことができる。
【００３１】
なお、スピーカ装置１０の具体的な構造は、図１乃至図６に示されたものに限定されず、第２フレーム体１２に形成される開口１２ａの位置及び大きさ、第１ポート１４及び第２ポート１５の構造、背圧空間である第１空間Ｅ１につながる第１ポート１４の有無、磁気回路２０の構造等、適宜変更することができる。
【産業上の利用可能性】
【００３２】
本発明に係るスピーカ装置及びその組立方法は、ボイスコイルユニットから延びるリード線を作業性良く閉鎖性の高いフレーム体の外部に設けられた端子まで導くことができるという効果を有し、内部に空間が形成されたフレーム体内に振動板、磁気回路及びボイスコイルユニットが設けられ、フレーム体の外部に設けられた端子にボイスコイルユニットから延びるリード線が接続された構造のスピーカ装置及びその組立方法として有用である。
【符号の説明】
【００３３】
１０  スピーカ装置
１１  第１フレーム体
１２  第２フレーム体
１３  カバー部材
１４  第１ポート
１５  第２ポート
１６  端子
２０  磁気回路
２１  外ヨーク
２２  内ヨーク
２３  磁石
２４  ボイスコイルユニット
２４ａ  ボビン
２４ｂ  ボイスコイル
２５  振動板
２６  エッジ部
２７  ダンパ
２８  キャップ
２９  リード線（錦糸線）
１００  位置出し治具
【図１】
0005825521.tif 000002
【図２】
0005825521.tif 000003
【図３】
0005825521.tif 000004
【図４】
0005825521.tif 000005
【図５】
0005825521.tif 000006
【図６】
0005825521.tif 000007